(57)【要約】本発明は、少なくも１個のタッチセンサー（２０）と少なくも１個のアクチュエーターとを備えたスポーツ広告柵（１０）に関する。本発明により、体（３０）からの衝撃の結果としてセンサー（２０）が信号を作成した場合、アクチュエーターが広告メッセージを駆動する。
2005526266.tif 000002
【特許請求の範囲】
【請求項１】
少なくも１個の接触センサー（２０）と少なくも１個のアクチュエーターとを有し、センサーが衝撃体の結果として信号を作成したとき、アクチュエーターが広告メッセージを駆動するスポーツ広告柵。
【請求項２】
静的画像部分のある画像表示を特徴とする請求項１に請求されたスポーツ広告柵。
【請求項３】
電子式画像表示を特徴とする請求項１に請求されたスポーツ広告柵。
【請求項４】
変化し又は回転する広告柵（１０）を特徴とする請求項１に請求されたスポーツ広告柵。
【請求項５】
発光体又は蛍光信号による画像の表示、画像の変更又は画像の増幅を特徴とする請求項１に請求されたスポーツ広告柵。
【請求項６】
広告メッセージ又はその他の何かのメッセージを駆動するためのシステムであって、動いているスポーツ対象物、特に競技者によるサッカーボール、ハンドボール、バスケットボール、水球のボール、バレーボール、テニスボール、フリスビーのディスク、車輪、車両、砲丸、円盤、槍、ハンマー又はパック、又はその他によりセンサーが駆動され、この駆動が機械的、音響的又は可視的であることを特徴とするシステム。
【請求項７】
センサーが、ゴールポストセンサー、ゴールラインセンサー、又は別の何かの形式のスポーツに対応するうまく関係付けられたセンサーであることを特徴とする請求項６に請求されたシステム。
【請求項８】
音楽、自然ノイズ、人工的ノイズ、スポーツノイズ又は人間由来のノイズのような音響的広告メッセージを作成するための手段を特徴とする請求項１から７の一つに請求された装置。
【請求項９】
広告柵（１０）に接続された音作成システムを特徴とする請求項１から８の一つに請求された装置。
【請求項１０】
広告柵（１０）に接続された少なくも１個のスタディアム拡声器（６０）を特徴とする請求項１から９の一つに請求された装置。
【請求項１１】
広告柵（１０）に接続された電子式通信媒体を特徴とする請求項１から１０の一つに請求された装置。
【請求項１２】
音信号がセンサーではなくてスイッチにより駆動されることを特徴とする請求項９から１１の一つに請求された装置。
【請求項１３】
タイムスイッチを特徴とする請求項１２に請求された装置。
【請求項１４】
手動スイッチを特徴とする請求項１２に請求された装置。
【請求項１５】
広告柵の広告が変化するとき活性化される自動スイッチを特徴とする請求項１２に請求された装置。
【請求項１６】
公共放送のラジオ、テレビ、ＧＳＭ、ＵＭＴＳ又はインターネットに送信される広告メッセージを特徴とする請求項１１に請求された装置を有する方法。
【請求項１７】
デジタル又は仮想の形式で表示されるスポーツ広告柵を有するコンピューターゲームであって、デジタルの又は仮想の対象物がスポーツ広告柵と接触したとき、音響的又は可視の広告メッセージが駆動されることを特徴とするコンピューターゲーム。
【請求項１８】
スポーツ体又は競技者の衝撃又は運動により、広告メッセージを駆動するためのセンサー又はアクチュエーターの使用。
【請求項１９】
スポーツ対象物の運動に基づいた広告メッセージの作成。
【請求項２０】
広告メッセージの作成及びスポーツ対象物の運動がスクリン上で行われることを特徴とする請求項１９に請求された広告メッセージの作成。
【請求項２１】
作成がスポーツイベントのテレビ送信中に行われることを特徴とする請求項２０に請求された広告メッセージの作成。
【請求項２２】
少なくも１個の接触センサー（２０）と広告媒体として少なくも１個のアクチュエーターとを有するスポーツ広告柵があり、これに衝突する体の手段によりセンサーが直ちに信号を駆動するシステムの使用。
【請求項２３】
静的画像部分のある画像表示を特徴とする請求項２２に請求された使用。
【請求項２４】
電子式画像表示を特徴とする請求項２２に請求された使用。
【請求項２５】
変化し又は回転する柵（１０）を特徴とする請求項２２に請求された使用。
【請求項２６】
発光体又は蛍光信号による画像の表示、画像の変化又は画像の増幅を特徴とする請求項２２に請求された使用。
【請求項２７】
信号の機械式、音響式又は可視式の駆動を特徴とする請求項２２から２６の一つに請求された使用。
【請求項２８】
センサーが、ゴールポストセンサー、ゴールラインセンサー、又は別の何かのスポーツの対応した成功関連のセンサーであることを特徴とする先行請求項の一つに請求された使用。
【請求項２９】
システムが、音楽、自然ノイズ、人工的ノイズ、スポーツノイズ、又は人間由来のノイズのような音響広告メッセージを作成するための手段を有することを特徴とする請求項２２から２８の一つに請求された使用。
【請求項３０】
スポーツ広告柵（１０）に接続された音作成システムを特徴とする請求項２２から２９の一つに請求された使用。
【請求項３１】
広告柵（１０）に接続された少なくも１個のスタディアム拡声器（６０）を特徴とする請求項２２から３０の一つに請求された使用。
【請求項３２】
スポーツ広告柵（１０）に接続された電子式通信媒体を特徴とする請求項２２から３１の一つに請求された使用。
【請求項３３】
音信号がセンサーではなくてスイッチにより駆動されることを特徴とする請求項３０から３２の一つに請求された使用。
【請求項３４】
タイムスイッチを特徴とする請求項３３に請求された使用。
【請求項３５】
手動スイッチを特徴とする請求項３３に請求された使用。
【請求項３６】
広告柵の広告の変化により活性化される自動スイッチを特徴とする請求項３３に請求された使用。
【請求項３７】
公共放送のラジオ、テレビ、ＧＳＭ、ＵＭＴＳ又はインターネットに送信される広告メッセージを特徴とする請求項２２から３６の一つに請求された使用。
【請求項３８】
コンピューターゲームにおけるデジタル又は仮想の表示を作成するスポーツ広告柵を有する請求項２２から３７の一つに請求された方法。
【発明の詳細な説明】
【技術分野】
【０００１】
本発明は、スタジアム広告に通常使用されるようなスポーツ広告柵に関し、かつ内容がここに引用される特許文献１の優先権を請求する。
【背景技術】
【０００２】
広告は、多くのスポーツの一つの主要構成要素である。この場合、競技の一時休止中の広告及びウエア広告に加えて観客が競技場で見ているときに見える区域を使用することが好ましい。このため、サッカー、バスケットボール又はアイスホッケーのスタジアムの競技場の境界の広告柵に広告メッセージが設けられる。
【０００３】
一般に、これら広告用の柵は、静的な画像、表象、及び文字、或いは、例えば電子的な画像信号の変化により作られる変化する絵を持つ。この場合、これら可視信号は一定の時間間隔で変更される。この間隔は競技の進行とは無関係であり、観客の注意は事実上完全に競技の進行に向けられ、広告用の柵は背景としてしか知覚されず、その使用がふさわしいという多少の効果があるだけであるため、「広告効果」は一般に非常に小くい。スポーツスタジアムにおいては、動的な広告内容を有する広告媒体として、スコアボードがしばしば使用される。
【０００４】
しかし、観客の注意は、スポーツをしている人と、これらにより動かされるボール、フリスビー、砲丸、ハンマー、円盤又は槍のようなスポーツ体に第１に向けられる。特にサッカーボール、ハンドボール又はバレーボールのようなボール速度の早い競技の場合は、視線は、その運きが競技の成果を決定しかつテレビ視聴者のためにカメラが追っているボール上に留まる。
【０００５】
観客に呼びかける広告の別分野から、広告媒体におけるノイズ、動き、又は特別な効果により、注意を向けさせることが知られている。
【０００６】
外部刺激により、広告媒体に音響的な追加を与えることも知られている。
【０００７】
例えば、特許文献２は、光、圧力又は接触により作動させ得る組込みセンサーを有し、オーディオ媒体を再生させアピールする方法を、広告柵上の視覚的メッセージに加えたポスターを説明する。
【０００８】
その他の分野より、機械的に駆動する効果も知られる。
【０００９】
例えば、特許文献３は、画像に触り又は押すことにより機械式センサーを作動させ、その結果として電気パルスが組込みのオーディオ媒体を再生させ得るゲームを明らかにする。
【００１０】
スポーツにおける広告の役割は非常に重要であり、そしてスポーツ分野における広告に相当な金額が投資されたとしても、スポーツ分野における公知の方法は、説明された広告柵及びウエア広告媒体に限定される。
【特許文献１】ドイツ特許出願第１０１  ４０  ９０２．８−３２号  明細書
【特許文献２】英国特許第２  ２５８  ４２４号  明細書
【特許文献３】欧州特許第０  ７６７  ０６８  Ａ３号  明細書
【発明の開示】
【発明が解決しようとする課題】
【００１１】
本発明は、スポーツ分野、特に、観客の注意をより強く引き、従って広告している製品に関する長時間の印象を提供するボール競技用の広告媒体を提供する目的に基づく。
【課題を解決するための手段】
【００１２】
この目的は独立請求項により達成される。有利な改良は従属請求項の主題事項である。
【００１３】
本発明の基本的な理念は、ボール、フリスビー、砲丸、ハンマー、円盤又は槍のような動いているスポーツ対象物に向けられた観客の注意を、スポーツ対象物に反応する広告媒体に向かせ得ることである。本発明による使用に基づいて、これは、サッカーのピッチの側方境界の広告柵のようなスポーツ広告柵に当たり又はこれを飛び越え、そしてこれにより広告用メッセージの運動を引き起こすスポーツ対象物によりなされる。
【００１４】
この場合、「スポーツ広告柵」は、適宜の種類のスポーツのための面又は区域の周りで使用される適宜形式の平坦なものである。これは、例えばサッカーゴールのゴールポストも含む。更に、本発明の目的に対しては、表現「スポーツ広告柵」は、スポーツ対象物が作用し得るように配列されたその他の総ての広告媒体も含む（例えば、ペナルティエリア後方の大きな元気回復用ドリンクは、これにボールが接触したときに広告メロディを駆動することができる）。これは、それ自体は本質的に広告媒体ではないが広告媒体を駆動するセンサーの取付けに利用される。
【００１５】
特に観客数の多いスポーツイベントの場合は、広告用の柵は、その時の広告対象者が非常に多く、従ってその効果は非常に重要なものである。
【００１６】
本発明により使用し得る広告媒体は、静的な画像及び文字並びに可変画像を含む。自動画像連鎖を有する広告柵の場合は、フィルムの場合と同様な方法、例えばスポーツイベント中に発生手段により駆動させられるローラーシステムを介して、対応した画像であってかつ画像ウインドウ内に置かれた画像を写すことができる。アクチュエーター切替式の画像変更の別の可能性は、各がそれぞれの面の上に印刷された異なる広告メッセージを有する個別画像部分を動かし又は折り返すことにより提供される。
【００１７】
加えて、例えば、文字を背景光により又は直接照明により強調することができ、或いは多数の発光体、例えばランプが点灯されたときだけ可視とすることができる。
【００１８】
更に、光作動式ホログラム又は電気パルス手段による蛍光画像の活性化は、センサー作動時にアクチュエーター信号を駆動することによる本発明実行の可能な方法を示す。
【００１９】
可視信号と音響信号との組合せにより特別に有利な効果が達成される。この場合、可視信号及び音響信号は、これらをセンサーにより駆動させることができる。
【００２０】
本発明によるスポーツ広告柵の好ましい一実施例においては、広告柵は静的画像部分を有し、この場合、衝突するスポーツ体がセンサーを作動させて、再生装置を介してオーディオ、又はノイズ、又は広告用メロディを再生させることができる。この実施例は、技術的に簡単なデザインで通常の可視広告メッセージに加え、特に、呼び出し得る可聴信号とこれとを結合させることができる追加の利点を提供する。
【００２１】
更なる有利な実施例においては、広告柵は電子式画像表示を有し、この場合は、スポーツ体は、例えば表示された画像を一時的に強調させることによりこれらの変化又は強調を引き起こすこともできる。この目的で、広告柵は、画像又は文字の追加の可視広告メッセージ、例えば会社又は製品に適切な決められたスローガンを上書きするために使用することができる。本発明に関連した電子式画像表示を有する広告柵の利点は、動きの早いスポーツと組み合わせられたときに広告効果を増加させるために必要であるような、特に画像の無限定選択による急速画像変更の可能性から明らかである。この目的に対しては、特にある画像から第２の画像への滑らかな転換（いわゆるモーフィング）のための、コンピューターアニメーションの形式の画像変化が特に好ましい。
【００２２】
更なる選択肢は、変化する広告柵の使用である。この場合は、広告柵を、例えばグラウンド内の適切な凹所から出し、そして再び引っ込めることが可能である。或いは、伸びたり縮んだりはしないが回転装置の手段により動いている回転軸を介して回転され又は第２の画像の上に折り畳まれる回転広告柵も実行可能である。回転広告柵は、公衆の注意が広告柵に向けられているときに従来技術におけるように不規則に決められた時間でなく、単に広告柵を回転させ又は伸長かつ後退させる手段による画像に上書きし変化させる利点を提供する。
【００２３】
別の実施例においては、発光体（例えばカラーランプ）の手段により、背景照明により、蛍光画像の活性化により、又は背景画像と画像の機械的連鎖の再生により、可視効果を作ることによって、広告メッセージ又はその強調を達成することができる。
【００２４】
この場合は、説明された広告広告柵の総てにおいて可視効果と音響効果とを互いに組み合わせることが特に有利である。回転柵及び電子的画像表示を有する広告柵に対する第１次的なファクターである可視広告メッセージに加えて、音響効果、例えば画像の変化又は広告柵の動きと連動し、又は連動しない告知を作ることも、この場合の追加的な可能性である。
【００２５】
表現「衝撃体」は、スポーツイベント中に動かされる対象物だけでなく、足又は身体のその他の部分でスポーツ広告柵を作動させ得るスポーツ者も含む。競技に使用される総ての形式のボール及び投げられる対象物を、特にこの目的のために使うことができる。
【００２６】
センサーは、接触により駆動させることは必須ではなく、例えば光バリヤの手段又はその他の光学的センサーにより視覚的に、或いは何かの音響センサーの手段により駆動することもできる。動いているスポーツ体は、好ましくはサッカーボール、ハンドボール、バスケットボール、水球ボール、バレーボール、デニスボール、フリスビーディスク、砲丸、円盤、槍、ハンマー又はパックを含む。
【００２７】
特にセンサーの作動により駆動される音響信号、又は好ましくは関連の製品との感知可能な組合せを与えるその他のノイズのような適宜形式の音楽を使用することができる。
【００２８】
これらは、自然のノイズ（例えば、動物の音、風及び水の音、雨の音など）、人工的なノイズ（例えば、自動車、エンジン、ホーン、タイヤのきしり音、列車、路面電車、ベルの音、ガラス、陶器及び金属の砕け音又は鳴る音、家庭用品、ハンマー、ドリル、アラームからのノイズ、錠を開く音、ビン、缶、タイプライター、洗濯機、ローラー及びブラインドからのノイズ、時計のチクタク音、ロケットなど）、人間由来のノイズ（例えば、食事、飲酒、喫茶、キスなどの際の音）、及びスポーツと組み合わせられた総ての種類のノイズとすることができる。
【００２９】
信号、特に音響信号は、広告柵に直結された音作成システムを介し、スタディアムの拡声器を介し、又は電子的媒体（テレビ、ラジオ、インターネットなど）への結合により直接出すことができる。信号作成の後者の変種は、特に電子式受信装置で見ている者への情報の無干渉送信を許す。更に、最初に、電子式媒体においてのみ広告メッセージを作ることが実行可能である。例えば、サッカーゴールのゴールライン上の光学的センサーは、ゴールの生じたときにテレビの広告メッセージを駆動することができる。ゴールセンサーについては、サッカーに興味を有するもののニユース群へのＳＭＳ又はインターネットメッセージの送信を駆動するようなことも同様に実行可能である。これは、他種のスポーツの対応群に適用できる。
【００３０】
本発明の意識における広告柵と接触した後の可視及び／又は音響効果による駆動は、具体的な形式のスポーツに限定されず、コンピューターゲームに符号化されたもののような仮想形式のスポーツに対しても実行可能である。従って、更なる好ましい実施例は、デジタル又は仮想の対象物がスポーツ広告柵と接触したとき、音響又は可視の広告メッセージが駆動されるコンピューターゲームに関連する。この仮想又はデジタルの対象物は、例えば、コンピュータースクリーン上に表示されたサッカーボール又はその他のスポーツ体とすることができる。
【００３１】
スポーツ広告のための本発明によるセンサーの使用は、異なった形式のものとすることができる。好ましい一実施例においては接触センサーが使用され、或いはコンピューターゲームの場合は活動的なプレイ区域とすることができる。接触センサーによる変更例として、光学的センサーの使用も可能である。この場合は、センサー信号は、広告柵とスポーツ体との間の直接衝突には依存しない。
【００３２】
本発明は、いわゆる上書きの形式で同様に使用することができる。この場合、例えば、テレビ送信のため、競技場の特定の広告柵がデジタルで上書きされ、そこで競技場におけるとは異なったテレビ送信における広告メッセージを作る。この場合、本発明は、或る特定区域への、或いは競技場の内側又は外側の特定区域内における、スポーツ体の仮想の接触又はデジタルの運動によっても実行することができる。
【発明を実施するための最良の形態】
【００３３】
本発明は、図面に示された実施例を参照して以下の文章においてより詳細に説明されるであろう。
【００３４】
回転広告柵１０が、サッカーピッチの端の境界の形式のスポーツ広告柵として図示される。機械的な衝動及びこれから得られる接続された装置（回転装置、オーディオ媒体のための再生機器）の活性化が接触センサー２０を介して作られる。サッカーボール３０が回転広告柵１０に当たったとき、この柵は回転装置４０の手段により回転され、その結果、新しい文字を柵１０上に見ることができる。同じ方法で、接触センサー２０は、再生装置５０とスタディムの拡声器６０とを介して広告メロディを再生させる。
【００３５】
ゲームが進行すると、観客はボール３０を追いかける。ボールがライン外に出たときにボール３０が接触センサー２０に当たると、スタディアム全体及びテレビカメラの注意が、そのときの広告メッセージのある関係の広告柵に向けられるだけでなく、ゲームも中断され、このため、観客及び視聴者に、広告メッセージを認知する知性自由空間が生ずる。
【図面の簡単な説明】
【００３６】
【図１】本発明によるサッカーピッチにおけるスポーツ広告柵の実施例を示す。
【図１】
2005526266.tif 000003
【手続補正書】
【提出日】平成15年12月1日(2003.12.1)
【手続補正１】
【補正対象書類名】特許請求の範囲
【補正対象項目名】全文
【補正方法】変更
【補正の内容】
【特許請求の範囲】
【請求項１】
少なくも１個の接触センサー（２０）と広告媒体として少なくも１個のアクチュエーターとを有し競技場の境界線の外側に置かれた側方の広告柵を有するシステムの使用であって、
−スポーツ体が競技場の境界線上を横切ることによるスポーツイベントの一時中断、
−センサーがスポーツ体により作動させられると直ちにアクチュエーターにより広告メッ  セージの送信
の諸段階を特徴とするシステムの使用。
【請求項２】
スポーツ体により作動させられる少なくも１個の接触センサー（２０）及び広告媒体として少なくも１個のアクチュエーターを有するスポーツ広告柵のあるシステムの使用であって、広告柵（１０）に接続された遠隔通信媒体、特に放送ラジオ、テレビ、ＧＳＭ、ＵＭＴＳ、又はインターネットへの広告メッセージの送信を特徴とするシステムの使用。
【請求項３】
スポーツ体により作動させられる少なくも１個の接触センサー（２０）及び広告媒体として少なくも１個のアクチュエーターを有するスポーツ広告柵のあるシステムの使用であって、広告メッセージの少なくも１個の音響伝達を特徴とするシステムの使用。
【請求項４】
静的画像部分のある画像表示を特徴とする先行請求項の一つに請求された使用。
【請求項５】
電子式画像表示を特徴とする先行請求項の一つに請求された使用。
【請求項６】
変化し又は回転する柵（１０）を特徴とする先行請求項の一つに請求された使用。
【請求項７】
発光体又は蛍光信号による画像の表示、画像の変化又は画像の増幅を特徴とする先行請求項の一つに請求された使用。
【請求項８】
信号の機械式、音響式又は可視式の駆動を特徴とする先行請求項の一つに請求された使用。
【請求項９】
センサーが、ゴールポストセンサー、ゴールラインセンサー、又は別の何かのスポーツの対応した成功関連のセンサーであることを特徴とする請求項２又は３に請求された使用。
【請求項１０】
システムが、音楽、自然ノイズ、人工的ノイズ、スポーツノイズ、又は人間由来のノイズのような音響広告メッセージを作成するための手段を有することを特徴とする先行請求項の一つに請求された使用。
【請求項１１】
スポーツ広告柵（１０）又は側方広告柵に接続された音作成システムを特徴とする先行請求項の一つに請求された使用。
【請求項１２】
広告柵（１０）に接続された少なくも１個のスタディアム拡声器（６０）を特徴とする先行請求項の一つに請求された使用。
【請求項１３】
音信号がセンサーではなくてスイッチにより駆動されることを特徴とする先行請求項の一つに請求された使用。
【請求項１４】
タイムスイッチを特徴とする請求項１３に請求された使用。
【請求項１５】
手動スイッチを特徴とする請求項１３に請求された使用。
【請求項１６】
広告柵の広告が変化したとき活性化される自動スイッチを特徴とする請求項１３に請求された使用。
【請求項１７】
コンピューターゲームにおけるデジタル又は仮想の表示を作成するスポーツ広告柵を有する先行請求項の一つに請求された方法。
【国際調査報告】
2005526266.tif 000004
2005526266.tif 000005
2005526266.tif 000006
2005526266.tif 000007